(57)【要約】【課題】  受信した文字放送データページにエラーデータコードが含まれている場合でも表示品位を向上することができる文字放送データ格納方法を提供することを目的とする。【解決手段】  受信したページのデータ行をデコードしてページメモリに格納する際に、ページメモリへの１回目か２回目以降の書き込みかを判定し、１回目ならページメモリへ取り込むデータコードの取込許容値を第１の設定値に設定し、２回目以降なら前記取込許容値を第１の設定値より高い第２の設定値に設定する第１工程と、データ行のパリティエラーではないデータコードをカウントし取込データ数とする第２工程と、前記取込データ数が前記取込許容値以上であれば、前記データ行のパリティエラーであったデータコードをブランクスペース用のデータコードに置き換え前記ページメモリに格納し、前記取込データ数が前記取込許容値未満であれば前記データ行を破棄する第３工程を順に実行する。【選択図】      図２
2006148180.tif 000002
【特許請求の範囲】
【請求項１】
一定周期で伝送される複数のページを含み、各ページはパリティビットを含む複数のデータコードで構成される複数のデータ行を含み、前記各ページのヘッダー行がページ番号を含み、後続の各データ行が個々の行アドレスを含んでいる文字放送データを受信し、ページメモリに格納する文字放送受信装置において、
受信したページのデータ行をデコードして前記ページメモリに格納する際に、前記ページメモリへの１回目の書き込みか２回目以降の書き込みかを判定し、１回目の書き込みなら前記ページメモリへ取り込むデータコードの取込許容値を第１の設定値に設定し、２回目以降の書き込みなら前記取込許容値を第１の設定値より高い第２の設定値に設定する第１工程と、
前記データ行をパリティチェックし、パリティエラーではないデータコードをカウントし取込データ数とする第２工程と、
前記パリティチェックの結果、パリティエラーが存在するとき、前記取込データ数と前記取込許容値とを比較し、前記取込データ数が前記取込許容値以上であれば、前記データ行のパリティエラーであったデータコードをブランクスペース用のデータコードに置き換え前記ページメモリに格納し、前記取込データ数が前記取込許容値未満であれば前記データ行を破棄する第３工程
を順に実行すること
を特徴とする文字放送データ格納方法。
【請求項２】
一定周期で伝送される複数のページを含み、各ページはパリティビットを含む複数のデータコードで構成される複数のデータ行を含み、前記各ページのヘッダー行がページ番号を含み、後続の各データ行が個々の行アドレスを含んでいる文字放送データを受信し、ページメモリに格納する文字放送受信装置において、
受信したページのデータ行をデコードして前記ページメモリに格納する際に、前記ページメモリへの１回目の書き込みか２回目以降の書き込みかを判定し、１回目の書き込みなら前記ページメモリへ取り込むデータコードの取込許容値を第１の設定値に設定し、２回目以降の書き込みなら、まず前記ページメモリに格納されたページのデータ行数をカウントして確定行数として設定し、続いて前記確定行数と予め設定された確定行数許容値とを比較し、前記確定行数が確定行数許容値以上であれば、前記取込許容値を現在設定されている値から所定の値だけ高く設定し、前記確定行数が確定行許容値未満であれば前記取込許容値を現在設定されている値から所定の値だけ低く設定する第１工程と、
前記データ行をパリティチェックし、パリティエラーではないデータコードをカウントし取込データ数とする第２工程と、
前記パリティチェックの結果、パリティエラーが存在するとき、前記取込データ数と前記取込許容値とを比較し、前記取込データ数が前記取込許容値以上であれば、前記データ行のパリティエラーであったデータコードをブランクスペース用のデータコードに置き換え前記ページメモリに格納し、前記取込データ数が前記取込許容値未満であれば前記データ行を破棄する第３工程
を順に実行すること
を特徴とする文字放送データ格納方法。
【請求項３】
一定周期で伝送される複数のページを含み、各ページはパリティビットを含む複数のデータコードで構成される複数のデータ行を含み、前記各ページのヘッダー行がページ番号を含み、後続の各データ行が個々の行アドレスを含んでいる文字放送データを受信し、ページメモリに格納する文字放送受信装置において、
受信したページのデータ行をデコードして前記ページメモリに格納する際に、前記ページメモリへの１回目の書き込みか２回目以降の書き込みかを判定し、１回目の書き込みなら前記ページメモリへ取り込むデータコードの取込許容値を第１の設定値に設定し、２回目以降の書き込みなら、まず前記ページメモリに格納されたページ全体の取込データ数をカウントして頁データ数として設定し、続いて前記頁データ数と予め設定された頁データ許容値とを比較し、前記頁データ数が頁データ許容値以上であれば、前記取込許容値を現在設定されている値から所定の値だけ高く設定し、前記頁データ数が頁データ許容値未満であれば前記取込許容値を現在設定されている値から所定の値だけ低く設定する第１工程と、
前記データ行をパリティチェックし、パリティエラーではないデータコードをカウントし取込データ数とする第２工程と、
前記パリティチェックの結果、パリティエラーが存在するとき、前記取込データ数と前記取込許容値とを比較し、前記取込データ数が前記取込許容値以上であれば、前記データ行のパリティエラーであったデータコードをブランクスペース用のデータコードに置き換え前記ページメモリに格納し、前記取込データ数が前記取込許容値未満であれば前記データ行を破棄する第３工程
を順に実行すること
を特徴とする文字放送データ格納方法。
【請求項４】
一定周期で伝送される複数のページを含み、各ページはパリティビットを含む複数のデータコードで構成される複数のデータ行を含み、前記各ページのヘッダー行がページ番号を含み、後続の各データ行が個々の行アドレスを含んでいる文字放送データを受信し、ページメモリに格納する文字放送受信装置において、
受信したデータ行をデコードして前記ページメモリに格納する際に、前回データ行と共に前記ページメモリに格納した前回取込データ数を、前記ページメモリへ取り込むデータコードの取込許容値として設定する第１工程と、
前記データ行をパリティチェックし、パリティエラーではないデータコードをカウントし取込データ数とする第２工程と、
前記パリティチェックの結果、パリティエラーが存在するとき、前記取込データ数と前記取込許容値とを比較し、前記取込データ数が前記取込許容以上であれば、前記データ行のパリティエラーであったデータコードをブランクスペース用のデータコードに置き換え前記ページメモリに格納して、前記取込データ数をデータ行と関連するエラー記憶領域に前回取込データ数として格納し、前記取込データ数が前記取込許容値未満であれば前記データ行を破棄する第３工程
を順に実行すること
を特徴とする文字放送データ格納方法。
【請求項５】
一定周期で伝送される複数のページを含み、各ページはパリティビットを含む複数のデータコードで構成される複数のデータ行を含み、前記各ページのヘッダー行がページ番号を含み、後続の各データ行が個々の行アドレスを含んでいる文字放送データを受信し、ページメモリに格納する文字放送受信装置において、
受信したデータ行をデコードして前記ページメモリに格納する際に、データが重畳されていたライン番号をチェックし、前回同じ重畳ラインで送られてきた前回格納データ行の前回取込データ数を、前記ページメモリへ取り込むデータコードの取込許容値として設定する第１工程と、
前記データ行をパリティチェックし、パリティエラーではないデータコードをカウントし取込データ数とする第２工程と、
前記パリティチェックの結果、パリティエラーが存在するとき、前記取込データ数と前記取込許容値とを比較し、前記取込データ数が前記取込許容以上であれば、前記データ行のパリティエラーであったデータコードをブランクスペース用のデータコードに置き換え前記ページメモリに格納して、前記取込データ数を重畳ラインの番号と関連するデータ数記憶領域に前回取込データ数として格納し、前記取込データ数が前記取込許容値未満であれば前記データ行を破棄する第３工程
を順に実行すること
を特徴とする文字放送データ格納方法。
【請求項６】
前記第３工程における前記取込データ数が前記取込許容値以上であったときの前記ページメモリへの格納処理を、パリティエラーではないデータコードのみ前記ページメモリに上書きする処理とすること
を特徴とする請求項１〜請求項５のいずれか１項に記載の文字放送データ格納方法。
【請求項７】
前記第２工程における前記取込データ数を、パリティエラーであるデータコードをカウントした値とし、
前記第３工程において、前記取込データ数と前記取込許容値とを比較し、前記取込データ数が前記取込許容値未満であれば、前記データ行のパリティエラーであったデータコードをブランクスペース用のデータコードに置き換え前記ページメモリに格納し、前記取込データ数が前記取込許容値以上であれば前記データ行を破棄すること
を特徴とする請求項１〜請求項５のいずれか１項に記載の文字放送データ格納方法。
【発明の詳細な説明】
【技術分野】
【０００１】
本発明は、文字放送受信装置（テレテキストデコーダ）における文字放送データ格納方法に関するものである。
【背景技術】
【０００２】
文字放送は、テレビ信号の垂直帰線期間における特定の水平走査期間に、デジタル化した文字放送（番組）データを重畳し伝送するサービスである。
図８に従来のテレビジョンで実現されている文字放送受信装置のシステム構成を示すブロック図を示す。なお、文字放送データは、一定周期で伝送される複数のページを含み、各ページはパリティビットを含む複数のデータコードで構成される複数のデータ行を含み、前記各ページのヘッダー行がページ番号を含み、後続の各データ行が個々の行アドレスを含んでいる。
【０００３】
図８において、１は受信した受信信号を処理する映像信号処理部、２は受信信号に重畳された文字放送データを取出すデータ取込部で、データ取込部２で取込まれたデータはバッファメモリ３に格納される。
【０００４】
また４はリモコンからの入力を読解する入力処理部、５はマイクロコンピュータ、６は１ページまたは複数ページ分の文字放送データを蓄積することが可能なページメモリであり、マイクロコンピュータ５によりバッファメモリ３に取込まれた文字放送データのページが、視聴者により指定または受信した文字情報データに含まれるリンク情報により指定されたページかどうかを判定し、一致すればデコードされページメモリ６に格納される。
【０００５】
また７は表示データが格納される表示メモリであり、視聴者により指定されたページがページメモリ６から読み出されてこの表示メモリ７に格納される。また８は表示メモリ７に格納されている表示データを表示処理する表示処理部、９は映像信号と表示信号とを合成する映像合成処理部、１０は表示装置である。
【０００６】
既存の文字放送受信装置において、受信した文字放送データのページにエラーデータコードが含まれている場合に、エラーデータコードが取込まれて表示されることにより、意図されない文字が表示される等の問題が生じてしまう。このように受信したエラーデータコードが表示されることによる視聴者の違和感やストレスを無くすために、従来はパリティエラーが存在したデータコードをブランクスペース用データコードに置き換えての書き込みや、パリティエラーが一定数以上存在する場合はページメモリへの更新を行わないことでエラー補償を行っている。
【０００７】
このようなエラー補償を行っている文字放送受信装置が、例えば特許文献１に開示されている。この文字放送受信装置では、各データコードの最初の受信時には、パリティエラーに応答してページメモリの関連する文字位置にブランクスペース用のデータコードを書き込み、各データコードの次回以降受信時には、パリティエラーに応答してページメモリを書き込み禁止状態にすることで、エラー補償を行っている。
【０００８】
上記マイクロコンピュータ５において、文字放送データのページのデータコードのパリティエラーチェックを行い、上記エラー補償を実行する処理を、図９に示すフローチャートにしたがって説明する。
ＳＴＥＰ００１
まず、データコードのパリティチェックを実行する。
ＳＴＥＰ００２
パリティチェックの結果、データ行にパリティエラーが存在するかどうかを判定し、パリティエラーが存在すればＳＴＥＰ００３に移行し、パリティエラーが存在しなければＳＴＥＰ００５に移行する。
ＳＴＥＰ００３
受信したページがページメモリへの１回目の書き込みかどうかを判定し、１回目の書き込みであればＳＴＥＰ００４に移行し、１回目の書き込みでなければ（２回目以降であれば）、終了する。
ＳＴＥＰ００４
前記データ行のパリティエラーが存在したデータコードをブランクスペース用のデータコードに置き換え、ＳＴＥＰ００５へ移行する。
ＳＴＥＰ００５
ページメモリ６に前記データ行をページメモリに格納し、終了する。
【０００９】
図１０はエラーデータコードを含むページを受信している場合の表示の一例を示した図である。
図１０において、（Ｂ１）はデータを受信し最初にページメモリ６に取込まれ表示された画面であって、この表示画面（Ｂ１）にはエラーデータ部分（Ｂ２，Ｂ３，Ｂ４）がブランクスペース用のデータコードとして表示されている。次回以降受信時には、同一ページのデータを受信する度に、パリティエラーのないデータコードのみをページメモリに更新していくため、表示画面（Ｂ１）のエラーデータ部分（Ｂ２，Ｂ３，Ｂ４）は正常表示（Ｂ５）される。
【特許文献１】特開昭６２−１３６１８５号公報
【発明の開示】
【発明が解決しようとする課題】
【００１０】
上記のように従来の文字放送受信装置では、パリティエラーのデータコードをブランクスペース用データコードに置き換えての書き込みや、パリティエラーが一定数以上存在すればページメモリへの更新を行わないことで、視聴者の違和感やストレスをなくす方法が考えられている。
【００１１】
しかし、電界強度が低いテレビ信号や、ノイズの多いテレビ信号を受信している状態において、エラーデータコードを含むページを連続して受信している場合では、パリティエラーチェックで検出できなかったエラーコードが取り込まれることで、意図されない表示がされてしまうことや、最初の受信データの取込でエラーコードが多く取り込まれてしまうことがあり、さらに次回以降のデータ取込ではパリティエラーの検出により書き込み禁止状態とされ、データコードが更新されないことにより、エラー補償が効果をなさないという問題点を有していた。
【００１２】
図１１はエラーデータコードを含むページを連続して受信している場合の表示の一例を示した図である。（Ｃ１）はデータを受信し最初にページメモリに取り込まれ表示された画面であって、この表示画面（Ｃ１）にはエラーデータ部分（Ｃ２，Ｃ３，Ｃ４）が表示されている。次回以降受信時に、同一ページのデータを受信しても、パリティエラーが検出されるため、データがページメモリに更新されることはなく、表示画面（Ｃ１）のエラー部分（Ｃ２，Ｃ３，Ｃ４）は次回以降も正常表示されない（Ｃ５）。表示画面（Ｃ５）には表示画面（Ｃ１）と同じ画面がそのまま表示される。
【００１３】
本発明は、上記従来の問題点を解決するもので、電界強度が低いテレビ信号や、ノイズの多いテレビ信号を受信している状態において、エラーデータコードを含むページを連続して受信した場合でも、受信したページの取込方法を変更することにより、エラー補償を効果的に行うことを可能にする文字放送データ格納方法を提供することを目的としたものである。
【課題を解決するための手段】
【００１４】
前述した目的を達成するために、本発明のうち請求項１に記載の発明は、一定周期で伝送される複数のページを含み、各ページはパリティビットを含む複数のデータコードで構成される複数のデータ行を含み、前記各ページのヘッダー行がページ番号を含み、後続の各データ行が個々の行アドレスを含んでいる文字放送データを受信し、ページメモリに格納する文字放送受信装置において、受信したページのデータ行をデコードして前記ページメモリに格納する際に、前記ページメモリへの１回目の書き込みか２回目以降の書き込みかを判定し、１回目の書き込みなら前記ページメモリへ取り込むデータコードの取込許容値を第１の設定値に設定し、２回目以降の書き込みなら前記取込許容値を第１の設定値より高い第２の設定値に設定する第１工程と、前記データ行をパリティチェックし、パリティエラーではないデータコードをカウントし取込データ数とする第２工程と、前記パリティチェックの結果、パリティエラーが存在するとき、前記取込データ数と前記取込許容値とを比較し、前記取込データ数が前記取込許容値以上であれば、前記データ行のパリティエラーであったデータコードをブランクスペース用のデータコードに置き換え前記ページメモリに格納し、前記取込データ数が前記取込許容値未満であれば前記データ行を破棄する第３工程を順に実行することを特徴とするものである。
【００１５】
上記方法によれば、パリティエラーが発生したデータコード（エラーデータコード）を含むデータを連続して受信している場合でも、データコードの取込許容値を、受信した取込ページのページメモリへの１回目の書き込みか２回目以降の書き込みかの情報により設定し、取込データ数と比較することにより、１回目の取込であったとしても取込データ数が取込許容値未満であればデータ行を破棄することで、１回目の取込でエラーデータコードが多く取り込まれてしまう問題が解決され、また２回目以降の取込でパリティエラーの検出でデータコードが更新されない問題が解決される。
【００１６】
また請求項２に記載の発明は、一定周期で伝送される複数のページを含み、各ページはパリティビットを含む複数のデータコードで構成される複数のデータ行を含み、前記各ページのヘッダー行がページ番号を含み、後続の各データ行が個々の行アドレスを含んでいる文字放送データを受信し、ページメモリに格納する文字放送受信装置において、受信したページのデータ行をデコードして前記ページメモリに格納する際に、前記ページメモリへの１回目の書き込みか２回目以降の書き込みかを判定し、１回目の書き込みなら前記ページメモリへ取り込むデータコードの取込許容値を第１の設定値に設定し、２回目以降の書き込みなら、まず前記ページメモリに格納されたページのデータ行数をカウントして確定行数として設定し、続いて前記確定行数と予め設定された確定行数許容値とを比較し、前記確定行数が確定行数許容値以上であれば、前記取込許容値を現在設定されている値から所定の値だけ高く設定し、前記確定行数が確定行許容値未満であれば前記取込許容値を現在設定されている値から所定の値だけ低く設定する第１工程と、前記データ行をパリティチェックし、パリティエラーではないデータコードをカウントし取込データ数とする第２工程と、前記パリティチェックの結果、パリティエラーが存在するとき、前記取込データ数と前記取込許容値とを比較し、前記取込データ数が前記取込許容値以上であれば、前記データ行のパリティエラーであったデータコードをブランクスペース用のデータコードに置き換え前記ページメモリに格納し、前記取込データ数が前記取込許容値未満であれば前記データ行を破棄する第３工程を順に実行することを特徴とするものである。
【００１７】
上記方法によれば、パリティエラーが発生したデータコード（エラーデータコード）を含むデータを連続して受信している場合でも、データコードの取込許容値を、受信した取込ページのページメモリへの１回目の書き込みか２回目以降の書き込みかの情報と、ページメモリに格納された頁のデータ行数の情報により設定し、取込データ数を比較することにより、１回目の取込でエラーデータコードが多く取り込まれてしまう問題が解決され、２回目以降の取込でパリティエラーの検出でデータコードが更新されない問題が解決される。
【００１８】
また請求項３に記載の発明は、一定周期で伝送される複数のページを含み、各ページはパリティビットを含む複数のデータコードで構成される複数のデータ行を含み、前記各ページのヘッダー行がページ番号を含み、後続の各データ行が個々の行アドレスを含んでいる文字放送データを受信し、ページメモリに格納する文字放送受信装置において、受信したページのデータ行をデコードして前記ページメモリに格納する際に、前記ページメモリへの１回目の書き込みか２回目以降の書き込みかを判定し、１回目の書き込みなら前記ページメモリへ取り込むデータコードの取込許容値を第１の設定値に設定し、２回目以降の書き込みなら、まず前記ページメモリに格納されたページ全体の取込データ数をカウントして頁データ数として設定し、続いて前記頁データ数と予め設定された頁データ許容値とを比較し、前記頁データ数が頁データ許容値以上であれば、前記取込許容値を現在設定されている値から所定の値だけ高く設定し、前記頁データ数が頁データ許容値未満であれば前記取込許容値を現在設定されている値から所定の値だけ低く設定する第１工程と、前記データ行をパリティチェックし、パリティエラーではないデータコードをカウントし取込データ数とする第２工程と、前記パリティチェックの結果、パリティエラーが存在するとき、前記取込データ数と前記取込許容値とを比較し、前記取込データ数が前記取込許容値以上であれば、前記データ行のパリティエラーであったデータコードをブランクスペース用のデータコードに置き換え前記ページメモリに格納し、前記取込データ数が前記取込許容値未満であれば前記データ行を破棄する第３工程を順に実行することを特徴とするものである。
【００１９】
この方法によれば、パリティエラーが発生したデータコード（エラーデータコード）を含むデータを連続して受信している場合でも、データコードの取込許容値を、受信した取込ページがページメモリへの１回目の書き込みか２回目以降の書き込みかの情報と、ページメモリに格納された頁全体のパリティエラーチェックの情報（パリティエラーではないデータ数）により設定し、取込データ数と比較することにより、１回目の取込でエラーデータコードが多く取り込まれてしまう問題が解決され、２回目以降の取込でパリティエラーの検出でデータコードが更新されない問題が解決される。
【００２０】
また請求項４に記載の発明は、一定周期で伝送される複数のページを含み、各ページはパリティビットを含む複数のデータコードで構成される複数のデータ行を含み、前記各ページのヘッダー行がページ番号を含み、後続の各データ行が個々の行アドレスを含んでいる文字放送データを受信し、ページメモリに格納する文字放送受信装置において、受信したデータ行をデコードして前記ページメモリに格納する際に、前回データ行と共に前記ページメモリに格納した前回取込データ数を、前記ページメモリへ取り込むデータコードの取込許容値として設定する第１工程と、前記データ行をパリティチェックし、パリティエラーではないデータコードをカウントし取込データ数とする第２工程と、前記パリティチェックの結果、パリティエラーが存在するとき、前記取込データ数と前記取込許容値とを比較し、前記取込データ数が前記取込許容以上であれば、前記データ行のパリティエラーであったデータコードをブランクスペース用のデータコードに置き換え前記ページメモリに格納して、前記取込データ数をデータ行と関連するエラー記憶領域に前回取込データ数として格納し、前記取込データ数が前記取込許容値未満であれば前記データ行を破棄する第３工程を順に実行することを特徴とするものである。
【００２１】
この方法によれば、パリティエラーが発生したデータコード（エラーデータコード）を含むデータを連続して受信している場合でも、データコードの取込許容値を、前回格納したデータ行の取込データ数の情報により設定し、取込データ数を比較することにより、データ行毎の取込状態に合わせてエラー補償が行えるため、データ行の破棄による表示行の欠落や、エラーデータコードの表示の問題が解決される。
【００２２】
また請求項５に記載の発明は、一定周期で伝送される複数のページを含み、各ページはパリティビットを含む複数のデータコードで構成される複数のデータ行を含み、前記各ページのヘッダー行がページ番号を含み、後続の各データ行が個々の行アドレスを含んでいる文字放送データを受信し、ページメモリに格納する文字放送受信装置において、受信したデータ行をデコードして前記ページメモリに格納する際に、データが重畳されていたライン番号をチェックし、前回同じ重畳ラインで送られてきた前回格納データ行の前回取込データ数を、前記ページメモリへ取り込むデータコードの取込許容値として設定する第１工程と、前記データ行をパリティチェックし、パリティエラーではないデータコードをカウントし取込データ数とする第２工程と、前記パリティチェックの結果、パリティエラーが存在するとき、前記取込データ数と前記取込許容値とを比較し、前記取込データ数が前記取込許容以上であれば、前記データ行のパリティエラーであったデータコードをブランクスペース用のデータコードに置き換え前記ページメモリに格納して、前記取込データ数を重畳ラインの番号と関連するデータ数記憶領域に前回取込データ数として格納し、前記取込データ数が前記取込許容値未満であれば前記データ行を破棄する第３工程を順に実行することを特徴とするものである。
【００２３】
この方法によれば、周期的なノイズの混入した信号を受信している場合でも、データコードの取込許容値を、データが重畳されたラインの前回格納データ行の前回取込データ数により設定し、取込データ数と比較することにより、重畳ライン毎にデータ取込が制御され、ノイズの周期に合わせてエラー補償が行える。
【００２４】
また請求項６に記載の発明は、請求項１〜請求項５のいずれか１項に記載の発明であって、前記第３工程における前記取込データ数が前記取込許容値以上であったときの前記ページメモリへの格納処理を、パリティエラーではないデータコードのみ前記ページメモリに上書きする処理とすることを特徴とするものである。
【００２５】
上記方法によれば、パリティエラーではないデータコードのみページメモリに上書きされることにより、エラーデータコードが表示される問題が解決される。
また請求項７に記載の発明は、請求項１〜請求項５のいずれか１項に記載の発明であって、前記第２工程における前記取込データ数を、パリティエラーであるデータコードをカウントした値とし、前記第３工程において、前記取込データ数と前記取込許容値とを比較し、前記取込データ数が前記取込許容値未満であれば、前記データ行のパリティエラーであったデータコードをブランクスペース用のデータコードに置き換え前記ページメモリに格納し、前記取込データ数が前記取込許容値以上であれば前記データ行を破棄することを特徴とするものである。
【００２６】
上記方法によれば、請求項１〜請求項５のいずれかの発明と同様の効果が生まれる。
【発明の効果】
【００２７】
本発明の文字放送データ格納方法は、上記方法により、電界強度が低いテレビ信号や、ノイズの多いテレビ信号を受信している状態において、パリティエラーが発生したデータコード（エラーデータコード）を含むページを連続して受信した場合でも、ページメモリへの１回目の取込でエラーコードが多く取込まれてしまう問題を解決でき、２回目以降の取込でパリティエラーの検出によりデータが更新されない問題を解決でき、よって表示品位を向上でき、視聴者の違和感やストレスを軽減することができ、さらに単純なソフト処理の追加のみで実現できる、という効果を有している。
【００２８】
また本発明は、周期的なノイズの混入した信号を受信した場合でも、重畳ライン毎に取込許容値を制御することにより、ノイズの周期に合わせてエラー補償を行うことができ、データの破棄による画面表示の欠落やエラーデータの表示を少なくして、表示品位を向上でき、視聴者の違和感やストレスを軽減することができ、さらに単純なソフト処理の追加のみで実現できる、という効果を有している。
【発明を実施するための最良の形態】
【００２９】
以下、本発明の実施の形態を、図面を参照しながら説明する。なお、図８の従来の文字放送受信装置の構成と同一な構成には同一の符号を付して説明を省略する。
［実施の形態１］
図１は本発明の実施の形態１における文字放送データ格納方法を実行する文字放送受信装置の構成図であり、新たに、取込判定用データの格納用メモリ１１が備えられている。
【００３０】
そして、マイクロコンピュータ５により、バッファメモリ３に取込まれた文字放送データのページが、入力処理部４を介して視聴者により指定または受信した文字情報データに含まれるリンク情報により指定されたページかどうかを判定し、一致すれば、データのデコードと、格納用メモリ１１に取込判定用データとして格納されるページメモリ取込許容値（後述する）を用いてのデータ取込処理が行われページメモリ６に格納される。
【００３１】
上記マイクロコンピュータ５において実行される、データ格納方法におけるデータ取込処理を図２に示すフローチャートにしたがって説明する。
ＳＴＥＰ１０１
受信したページのデータ行をデコードしてページメモリ６に格納する際に、まずページメモリ６への１回目の書き込みかどうかを判定し、１回目の書き込みであった場合はＳＴＥＰ１０２へ移行し、２回目以降の書き込みであった場合はＳＴＥＰ１０３へ移行する。
ＳＴＥＰ１０２
ページメモリ取込許容値を低く設定し（第１の設定値として設定し）、格納用メモリ１１へ取込判定用データとして格納し、ＳＴＥＰ１０４に移行する。
ＳＴＥＰ１０３
ページメモリ取込許容値を高く設定し（第１の設定値より高い第２の設定値として設定し）、格納用メモリ１１へ取込判定用データとして格納し、ＳＴＥＰ１０４に移行する。
ＳＴＥＰ１０４
受信したデータ行のパリティエラーチェックを行い、パリティエラーではないデータをカウントした値を取込データ数とし、ＳＴＥＰ１０５へ移行する。
ＳＴＥＰ１０５
データ行にパリティエラーが存在するかどうかを判定し、パリティエラーが存在すればＳＴＥＰ１０６へ移行し、パリティエラーが存在しなければＳＴＥＰ１０９へ移行する。
ＳＴＥＰ１０６
前記取込データ数と前記取込許容値とを比較し、前記取込データ数が前記取込許容値未満かどうかを判定し、未満であればＳＴＥＰ１０７へ移行し、前記取込データ数が前記取込許容値以上であればＳＴＥＰ１０８へ移行する。
ＳＴＥＰ１０７
前記データ行を破棄して、終了する。
ＳＴＥＰ１０８
前記データ行のパリティエラーであったデータコードをブランクスペース用のコードに置き換え、ＳＴＥＰ１０９に移行する。
ＳＴＥＰ１０９
データ行をページメモリ６に格納し、終了する。
【００３２】
なお、上記ＳＴＥＰ１０１〜ＳＴＥＰ１０３により［特許請求の範囲］請求項１の第１工程が形成され、上記ＳＴＥＰ１０４により第２工程が形成され、上記ＳＴＥＰ１０５〜ＳＴＥＰ１０９により第３工程が形成されている。
【００３３】
このようにデータ格納方法におけるデータ取込処理を実行することにより、パリティエラーが発生したデータコード（エラーデータコード）を含むページを連続して受信している場合でも、データコードの取込許容値を、受信した取込ページがページメモリ６への１回目の書き込みか２回目以降の書き込みかの情報により設定し、取込データ数と比較することにより、１回目の取込であったとしても取込許容値未満であればデータを破棄することで、１回目の取込でエラーコードが多く取込まれてしまう問題を解決できる。さらに２回目以降については取込許容値を１回目よりも大きくすることによりパリティエラーの検出でデータが更新されない問題を解決でき、表示品位を向上でき、視聴者の違和感やストレスを軽減することができ、さらに単純なソフト処理の追加のみで実現できる。
［実施の形態２］
図３は本発明の実施の形態２における文字放送データ格納方法におけるデータ取込処理を示すフローチャートであり、実施の形態２を、このフローチャートにしたがって説明する。なお、実施の形態２における文字放送データ格納方法は、図１に示す文字放送受信装置により実行される。また実施の形態１と同一のＳＴＥＰについては、同じＳＴＥＰの番号を付して説明を省略する。
【００３４】
実施の形態２では、実施の形態１のＳＴＥＰ１０３に代えて、ＳＴＥＰ２０１〜ＳＴＥＰ２０４を実行している。ＳＴＥＰ２０１は、ＳＴＥＰ１０１において、受信したページのページメモリ６への１回目の書き込みかどうかを判定し、２回目以降の書き込みであった場合に移行される。
ＳＴＥＰ２０１
ページメモリ６に格納されているページのデータ行を確認し、データ行数をカウントした値を確定行数とし、ＳＴＥＰ２０２へ移行する。
ＳＴＥＰ２０２
前記確定行数が、予め設定された確定行許容値以上かどうか判定し、確定行数が確定行許容値以上であればＳＴＥＰ２０３へ移行し、確定行数が確定行許容値未満であればＳＴＥＰ２０４へ移行する。
ＳＴＥＰ２０３
ページメモリ取込許容値を現在設定されている値より高く設定し、格納用メモリ１１へ取込判定用データとして格納し、ＳＴＥＰ１０４に移行する。
ＳＴＥＰ２０４
前ページメモリ取込許容値を現在設定されている値より低く設定し、格納用メモリ１１へ取込判定用データとして格納し、ＳＴＥＰ１０４に移行する。
【００３５】
なお、上記ＳＴＥＰ１０１、ＳＴＥＰ１０２およびＳＴＥＰ２０１〜ＳＴＥＰ２０４により［特許請求の範囲］請求項２の第１工程が形成され、上記ＳＴＥＰ１０４により第２工程が形成され、上記ＳＴＥＰ１０５〜ＳＴＥＰ１０９により第３工程が形成されている。
【００３６】
このようにデータ格納方法におけるデータ取込処理を実行することにより、電界強度が低いテレビ信号や、ノイズの多いテレビ信号を受信している状態において、パリティエラーが発生したデータコード（エラーデータコード）を含むページを連続して受信した場合でも、データの取込許容値を取込ページがページメモリへの１回目の書き込みか２回目以降の書き込みかの情報と、ページメモリ６に格納された頁のデータ行の情報（確定行数）により設定し、取込データ数と比較することにより、データの破棄による画面表示の欠落を少なくして、表示品位を向上でき、視聴者の違和感やストレスを軽減することができる。さらに単純なソフト処理の追加のみで実現できる。
［実施の形態３］
図４は本発明の実施の形態３における文字放送データ格納方法におけるデータ取込処理を示すフローチャートであり、実施の形態３を、このフローチャートにしたがって説明する。なお、実施の形態２における文字放送データ格納方法は、図１に示す文字放送受信装置により実行される。また実施の形態１と同一のＳＴＥＰについては、同じＳＴＥＰの番号を付して説明を省略する。
【００３７】
実施の形態３では、実施の形態１のＳＴＥＰ１０３に代えて、ＳＴＥＰ３０１〜ＳＴＥＰ３０４を実行している。ＳＴＥＰ３０１は、ＳＴＥＰ１０１において、受信したページのページメモリ６への１回目の書き込みかどうかを判定し、２回目以降の書き込みであった場合に移行される。
ＳＴＥＰ３０１
ページメモリ６に格納されているページ全体のパリティエラーを確認し、パリティエラーではないデータをカウントした値を頁データ数とし、ＳＴＥＰ３０２に移行する。
ＳＴＥＰ３０２
前記頁データ数が予め設定された頁データ許容値以上かどうか判定し、頁データ数が頁データ許容値以上であればＳＴＥＰ３０３に移行し、頁エラー数が頁データ許容値未満であればＳＴＥＰ３０４に移行する。
ＳＴＥＰ３０３
ページメモリ取込許容値を現在設定されている値から所定の値だけ高く設定し、格納用メモリ１１へ取込判定用データとして格納し、ＳＴＥＰ１０４に移行する。
ＳＴＥＰ３０４
ページメモリ取込判定値を現在設定されている値から所定の値だけ低く設定し、格納用メモリ１１へ取込判定用データとして格納し、ＳＴＥＰ１０４に移行する。
【００３８】
なお、上記ＳＴＥＰ１０１、ＳＴＥＰ１０２およびＳＴＥＰ３０１〜ＳＴＥＰ３０４により［特許請求の範囲］請求項３の第１工程が形成され、上記ＳＴＥＰ１０４により第２工程が形成され、上記ＳＴＥＰ１０５〜ＳＴＥＰ１０９により第３工程が形成されている。
【００３９】
このようにデータ格納方法におけるデータ取込処理を実行することにより、電界強度が低いテレビ信号や、ノイズの多いテレビ信号を受信している状態において、パリティエラーが発生したデータコード（エラーデータコード）を含むページを連続して受信した場合でも、データコードの取込許容値を、取込ページがページメモリへの１回目の書き込みか２回目以降の書き込みかの情報と、ページメモリ６に格納されたページ全体の取込状態（パリティエラーではないデータ数）により設定し、取込データと比較することにより、データの破棄による画面表示の欠落やエラーデータの表示を少なくして、表示品位を向上でき、視聴者の違和感やストレスを軽減することができる。さらに単純なソフト処理の追加のみで実現できる。
［実施の形態４］
図５は本発明の実施の形態４における文字放送データ格納方法におけるデータ取込処理を示すフローチャートであり、実施の形態４を、このフローチャートにしたがって説明する。なお、実施の形態４における文字放送データ格納方法は、図１に示す文字放送受信装置により実行される。また実施の形態１と同一のＳＴＥＰについては、同じＳＴＥＰの番号を付して説明を省略する。
【００４０】
実施の形態４では、実施の形態１のＳＴＥＰ１０１〜ＳＴＥＰ１０３に代えて、ＳＴＥＰ４０１を実行している。またＳＴＥＰ１０９に続き、ＳＴＥＰ４０２を実行している。
ＳＴＥＰ４０１
まず前回データ行をデコードしてページメモリ６に格納する際に、データ行と共にメモリ６に格納した前回取込データ数をページデータ取込許容値として設定し、格納用メモリ１１へ取込判定用データとして格納し、ＳＴＥＰ１０４に移行する。
ＳＴＥＰ４０２
ＳＴＥＰ１０９にてデータ行をページメモリ６に格納すると、取込データ数をデータ行と関連する取り込みデータ数記憶領域に前回格納データ数として格納し、終了する。
【００４１】
なお、上記ＳＴＥＰ４０１により［特許請求の範囲］請求項４の第１工程が形成され、上記ＳＴＥＰ１０４により第２工程が形成され、上記ＳＴＥＰ１０５〜ＳＴＥＰ１０９およびＳＴＥＰ４０２により第３工程が形成されている。
【００４２】
このようにデータ格納方法におけるデータ取込処理を実行することにより、電界強度が低いテレビ信号や、ノイズの多いテレビ信号を受信している状態において、パリティエラーが発生したデータコード（エラーデータコード）を含むページを連続して受信した場合でも、データコードの取込許容値を、前回取込んだページのデータ行毎の取込状態（前回取込データ数）により設定し、取込データ数と比較することにより、データ行毎にあったエラー補償が行え、データの破棄による画面表示の欠落やエラーデータの表示を少なくして、表示品位を向上でき、視聴者の違和感やストレスを軽減することができ、さらに単純なソフト処理の追加のみで実現できる。
［実施の形態５］
図６は本発明の実施の形態５における文字放送データ格納方法におけるデータ取込処理を示すフローチャートであり、実施の形態５を、このフローチャートにしたがって説明する。なお、実施の形態５における文字放送データ格納方法は、図１に示す文字放送受信装置により実行される。また実施の形態１と同一のＳＴＥＰについては、同じＳＴＥＰの番号を付して説明を省略する。
【００４３】
実施の形態５では、実施の形態１のＳＴＥＰ１０１〜ＳＴＥＰ１０３に代えて、ＳＴＥＰ５０１とＳＴＥＰ５０２を実行している。またＳＴＥＰ１０９に続き、ＳＴＥＰ５０３を実行している。
ＳＴＥＰ５０１
まず受信したデータの重畳されていたライン番号をチェックし、ＳＴＥＰ５０２に移行する。
ＳＴＥＰ５０２
前回同じ重畳ラインで送られてきたデータ行をデコードしてページメモリに格納する際に、データ行と共にメモリに格納した前回取込データ数をページデータ取込許容値として設定し、格納用メモリ１１へ取込判定用データとして格納し、ＳＴＥＰ１０４に移行する。
ＳＴＥＰ５０３
ＳＴＥＰ１０９にてデータ行をページメモリ６に格納すると、前記取込データ数を重畳ライン番号と関連する取込データ記憶領域に前回取込データ数として格納し、終了する。
【００４４】
なお、上記ＳＴＥＰ５０１およびＳＴＥＰ５０２により［特許請求の範囲］請求項５の第１工程が形成され、上記ＳＴＥＰ１０４により第２工程が形成され、上記ＳＴＥＰ１０５〜ＳＴＥＰ１０９およびＳＴＥＰ５０３により第３工程が形成されている。
【００４５】
このようにデータ格納方法におけるデータ取込処理を実行することにより、周期的なノイズの混入した信号を受信している場合でも、データコードの取込許容値を、データが重畳されたラインの前回格納データ行の前回取込データ数により設定し、取込データ数と比較することにより、ノイズの周期に合わせてエラー補償を行うことができ、データの破棄による画面表示の欠落やエラーデータの表示を少なくして、表示品位を向上でき、視聴者の違和感やストレスを軽減することができ、さらに単純なソフト処理の追加のみで実現できる。
［実施の形態６］
本発明の実施の形態６を、図７の文字放送受信装置のデータ更新方法のイメージに基づいて説明する。
【００４６】
上記図２〜図６の実施の形態１〜実施の形態５において、第３工程における取込データ数が取込許容値以上であるときのデータ行をページメモリに格納する処理（図２〜図６のＳＴＥＰ１０９）をパリティエラーと判定されていないデータコードだけをページメモリに更新する処理（上書き処理）で実施する。図７はパリティエラーではないデータコードのみを更新する処理の一例を示している。
【００４７】
図７において、（Ｅ１）はエラーコードを含むデータ行のイメージ図であり、（Ｅ１）のデータからパリティエラーではないデータコードを取出したデータ（Ｅ２）を、前回取込まれているデータ（Ｅ３）に更新することにより、（Ｅ４）のようにパリティエラーではないデータコードだけを更新している。
【００４８】
このように第３工程における取込データ数が取込許容値以上であったときのページメモリ６への格納処理を、パリティエラーではないデータコードのみページメモリ６に上書きする（更新する）処理とすることにより、電界強度が低いテレビ信号や、ノイズの多いテレビ信号を受信している状態において、パリティエラーが発生したデータコード（エラーデータコード）を含むページを連続して受信している場合でも、エラーデータコードの表示を少なくし、さらにデータ取込の制御と合わせることで、パリティエラーで検出できないエラーコードの取込によるエラーデータ表示を少なくして、表示品位を向上でき、視聴者の違和感やストレスを軽減することができる。さらに単純なソフト処理の追加のみで実現できる。
［実施の形態７］
本発明の実施の形態７では、図２〜図６の実施の形態１〜実施の形態５において、第２工程におけるパリティチェックを行い、パリティエラーでは“ない”データコードの数を取込データ数とする処理（図２〜図６のＳＴＥＰ１０４）を、パリティエラーで“ある”データコードの数を取込データ数として実行し、第３工程において、取込みデータ数が取込許容値より“小さい”かどうかの判定処理（図２〜図６のＳＴＥＰ１０６）を、取込データ数が取込許容値より“大きい”かどうかを判定する処理として実行する。
【００４９】
このように、第２工程における取込データ数を、パリティエラーであるデータコードをカウントした値とし、第３工程において、取込データ数と取込許容値とを比較し、取込データ数が前記取込許容値“未満”であれば、データ行のパリティエラーであったデータコードをブランクスペース用のデータコードに置き換え前記ページメモリに格納し、取込データ数が前記取込許容値“以上”であれば前記データ行を破棄することによっても、実施の形態１〜実施の形態５と同様の効果を得ることができる。
【産業上の利用可能性】
【００５０】
本発明にかかる文字放送データ格納方法電界強度が低いテレビ信号や、ノイズの多いテレビ信号を受信している状態でのテレテキスト表示においても、表示品位を著しく損なうことなく、テレテキスト表示画面に対する視聴者の違和感やストレスを軽減でき、テレテキスト機能を有するＡＶ機器などに適用できる。
【図面の簡単な説明】
【００５１】
【図１】本発明の実施の形態１における文字放送受信装置の構成図である。
【図２】同文字放送受信装置における文字データ取込処理のフローチャートである。
【図３】本発明の実施の形態２における文字放送受信装置のデータ取込処理のフローチャートである。
【図４】本発明の実施の形態３における文字放送受信装置のデータ取込処理のフローチャートである。
【図５】本発明の実施の形態４における文字放送受信装置のデータ取込処理のフローチャートである。
【図６】本発明の実施の形態５における文字放送受信装置のデータ取込処理のフローチャートである。
【図７】本発明の実施の形態６における文字放送受信装置のデータ更新方法のイメージである。
【図８】従来の文字放送受信装置の構成図である。
【図９】従来の文字放送受信装置における文字データ取込処理のフローチャートである。
【図１０】従来の文字放送受信装置において、エラー補償されたページの表示イメージである。
【図１１】従来の文字放送受信装置において、エラーデータを連続して受信した場合の表示イメージである。
【符号の説明】
【００５２】
１    映像信号処理部
２    データ取込部
３    バッファメモリ
４    入力処理部
５    マイクロコンピュータ
６    ページメモリ
７    表示メモリ
８    表示処理部
９    映像合成処理部
１０  表示装置
１１  取込判定用データ格納メモリ
【図１】
2006148180.tif 000003
【図２】
2006148180.tif 000004
【図３】
2006148180.tif 000005
【図４】
2006148180.tif 000006
【図５】
2006148180.tif 000007
【図６】
2006148180.tif 000008
【図７】
2006148180.tif 000009
【図８】
2006148180.tif 000010
【図９】
2006148180.tif 000011
【図１０】
2006148180.tif 000012
【図１１】
2006148180.tif 000013